【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
３次元オブジェクト印刷システムを通って移動するモバイルカートであって、前記モバイルカートは、
プラットフォームと、
前記プラットフォームに動作可能に接続され、前記印刷システムの吐出ヘッドに対して前記プラットフォームを配置するために、前記印刷システムの少なくとも１つのレールの下面と係合するように構成された少なくとも１つのベアリングと、
前記プラットフォームに動作可能に接続され、前記少なくとも１つのレールの上面と係合して、前記少なくとも１つのベアリングを前記少なくとも１つのレールの下面に対して付勢する付勢力を付与するように構成された少なくとも１つの他のベアリングと、
を含み、
前記少なくとも１つの他のベアリングは、前記プラットフォームと前記少なくとも１つのベアリングとの間の距離を維持するために、前記少なくとも１つのレールの上面上の汚染物質上を通ることに応じて変形するように構成される、モバイルカート。
【請求項２】
前記プラットフォームは、
前記付勢力に応じて、前記プラットフォームに対する前記少なくとも１つの他のベアリングの移動を、前記少なくとも１つのベアリングと前記少なくとも１つの他のベアリングとの間の方向に制約する少なくとも１つのガイドと、
前記少なくとも１つのベアリングに前記付勢力を付与する付勢部材と、
を含む、請求項１に記載のモバイルカート。
【請求項３】
前記付勢部材は、
前記少なくとも１つの他のベアリングと前記プラットフォームとの間で動作可能に接続されたばねをさらに備え、前記ばねは、前記少なくとも１つのガイドによって制約された前記少なくとも１つの他のベアリングの移動方向に対向して作用するように構成され、配置される、請求項２に記載のモバイルカート。
【請求項４】
前記付勢部材は予荷重が加えられる、請求項２に記載のモバイルカート。
【請求項５】
前記少なくとも１つのベアリングはさらに、
互いに直角に前記少なくとも１つのレールの下面と係合するように構成された一対のベアリングを備える、請求項１に記載のモバイルカート。
【請求項６】
上面および下面を含む少なくとも１つのレールと、
３次元オブジェクトを形成するための材料を吐出するように構成された吐出ヘッドと、
前記少なくとも１つのレールに沿って移動するように構成されたモバイルカートと、を備え、前記モバイルカートは、
プラットフォームと、
前記プラットフォームに動作可能に接続され、前記少なくとも１つのレールの前記下面と係合して、前記吐出ヘッドに対して前記プラットフォームを配置するように構成された少なくとも１つのベアリングと、
前記プラットフォームに動作可能に接続され、前記少なくとも１つのレールの前記上面と係合して、前記少なくとも１つのレールの前記下面に対して前記少なくとも１つのベアリングを付勢する付勢力を付与するように構成された少なくとも１つの他のベアリングと、を含み、
前記少なくとも１つのレールの前記上面は、前記少なくとも１つの他のベアリングがチャネル内で転動し、前記吐出ヘッドによって吐出された材料を捕捉し、また前記吐出ヘッドによって吐出される材料から、前記少なくとも１つのレールの前記下面を遮断することを可能にするように、前記少なくとも１つの他のベアリングを受けるように構成されたチャネルを有する、３次元オブジェクト印刷システム。
【請求項７】
前記少なくとも１つのレールは、一対の平行なレールを含む、請求項６に記載の印刷システム。
【請求項８】
前記プラットフォームは、
前記付勢力に応じる、前記プラットフォームに対する前記少なくとも１つの他のベアリングの移動を、前記少なくとも１つのベアリングと前記少なくとも１つの他のベアリングとの間の方向に制約する少なくとも１つのガイドと、
前記少なくとも１つのベアリングに付勢力を付与する付勢部材と、
を含む、請求項６に記載の印刷システム。
【請求項９】
前記付勢部材は、
１つの端において前記少なくとも１つの他のベアリングに他方の端において前記プラットフォームに動作可能に接続されたばねをさらに備え、前記ばねは、前記少なくとも１つのガイドによって制約された前記少なくとも１つの他のベアリングの移動方向に対向して作用するように構成され、配置される、請求項８に記載の印刷システム。
【請求項１０】
前記付勢部材は予荷重が加えられる、請求項８に記載の印刷システム。
【請求項１１】
前記少なくとも１つのベアリングはさらに、
互いに直角に前記少なくとも１つのレールの下面と係合するように構成された一対のベアリングを備える、請求項６に記載の印刷システム。
【請求項１２】
前記少なくとも１つのレールのそれぞれは、
前記モバイルカートがテーパを通過し前記少なくとも１つのレールの上を移動する際に前記付勢力を徐々に付与するように前記モバイルカートの前記少なくとも１つの他のベアリングと段階的に係合するように構成された前記テーパを有する第１の端部を含む、請求項６に記載の印刷システム。
【請求項１３】
上面および下面を含む少なくとも１つのレールと、
３次元オブジェクトを形成するための材料を吐出するように構成された吐出ヘッドと、
前記少なくとも１つのレールに沿って移動するように構成されたモバイルカートと、
を備え、前記モバイルカートは、
プラットフォームと、
前記プラットフォームに動作可能に接続され、前記少なくとも１つのレールの前記下面と係合して、前記吐出ヘッドに対して前記プラットフォームを配置するように構成された少なくとも１つのベアリングと、
前記プラットフォームに動作可能に接続され、前記少なくとも１つのレールの前記上面と係合して、前記少なくとも１つのレールの前記下面に対して前記少なくとも１つのベアリングを付勢する付勢力を付与するように構成された少なくとも１つの他のベアリングと、
前記少なくとも１つのレールの長さに沿って延在する、前記少なくとも１つのレールの各々に取り付けられた少なくとも１つの部材であって、前記吐出ヘッドによって吐出される材料から前記少なくとも１つのレールの前記下面を少なくとも部分的に遮断するように構成された、少なくとも１つの部材と、
前記少なくとも１つのレールのそれぞれを支持するように構成された各追加の部材と、を含み、
前記少なくとも１つの部材は、前記少なくとも１つのレールの前記下面の第１の側面を、前記吐出ヘッドによって吐出される材料から遮断するように構成され、前記各追加の部材は、前記第１の側面とは反対側の前記少なくとも１つのレールの第２の側面を、前記吐出ヘッドによって吐出される材料から遮断するように構成される、３次元オブジェクト印刷システム。
【請求項１４】
前記少なくとも１つの部材の各部材は、前記少なくとも１つのレールのうち対応するレールを支持するようにさらに構成される、請求項１３に記載の印刷システム。
【請求項１５】
上面および下面を含む少なくとも１つのレールと、
３次元オブジェクトを形成するための材料を吐出するように構成された吐出ヘッドと、
前記少なくとも１つのレールに沿って移動するように構成されたモバイルカートと、
を備え、前記モバイルカートは、
プラットフォームと、
前記プラットフォームに動作可能に接続され、前記少なくとも１つのレールの前記下面と係合して、前記吐出ヘッドに対して前記プラットフォームを配置するように構成された少なくとも１つのベアリングと、
前記プラットフォームに動作可能に接続され、前記少なくとも１つのレールの前記上面と係合して、前記少なくとも１つのレールの前記下面に対して前記少なくとも１つのベアリングを付勢する付勢力を付与するように構成された少なくとも１つの他のベアリングと、を含み、
前記少なくとも１つの他のベアリングは、前記プラットフォームと前記少なくとも１つのベアリングとの間の距離を維持するために、前記少なくとも１つのレールの前記上面上の汚染物質上を通ることに応じて変形するようにさらに構成される、３次元オブジェクト印刷システム。